(57)【要約】      （修正有）【課題】小学生等子供を交通事故から守ることを目的とした手旗において、周囲の人に当たっても安全性が高い交通安全用の手旗を提供する。【解決手段】手旗１は、旗竿２及び旗布３を備えている。旗竿２は、棒状に形成された芯部材２１、及びこの芯部材２１を覆うカバー部材２２から構成されている。芯部材２１の材料としては、可撓性及び復元性を有するとともに、柔らかな手触りが得られる多孔質性のものが好ましく、例えば、発砲ポリエチレン、コットン等が挙げられる。カバー部材２２は、一枚の布状であり、側辺部２２１同士が一致するよう半分に折りたたまれ、この側辺部２２１及び下辺部２２２を縫合することで、上端が開口した袋状となっている。カバー部材２２の材料としては、水を浸透させないオレフィンや、ＰＶＣ、合成皮革等が好ましく、その中でも、旗布３にプリントが施してある場合でも色移りすることがなく且つ汚れにも強いオレフィンが最も好ましい。【選択図】図２
0003160750.tif 000002
【実用新案登録請求の範囲】
【請求項１】
可撓性を有する旗竿と、
前記旗竿に取り付けられた旗布と、
を備える交通安全用の手旗。
【請求項２】
前記旗竿は、
多孔質材料から成る芯部材と、
前記芯部材を覆うカバー部材と、
を有する、請求項１に記載の手旗。
【請求項３】
前記カバー部材は、水を浸透させない材料から成る、請求項２に記載の手旗。
【請求項４】
前記旗竿の先端部に装着されており、玩具安全基準で規定される小部品シリンダを通過しない大きさのキャップをさらに備える、請求項１又は２に記載の手旗。
【請求項５】
前記カバー部材は、上端が開口した袋状に形成されており、
前記キャップは、前記カバー部材の開口した上端を覆っている、請求項４に記載の手旗。
【請求項６】
前記旗布に取り付けられており、前記旗布を前記旗竿に巻きつけた状態で固定するための固定部材をさらに備える、請求項１〜５のいずれかに記載の手旗。
【請求項７】
前記旗竿又は前記旗布に取り付けられており、環状部を有する引掛部材をさらに備える、請求項１〜６のいずれかに記載の手旗。
【請求項８】
前記環状部は、少なくとも一部において開閉可能である、請求項７に記載の手旗。
【請求項９】
前記旗竿又は前記旗布に取り付けられており、光に反射する反射部材をさらに備える、請求項１〜８のいずれかに記載の手旗。
【考案の詳細な説明】
【技術分野】
【０００１】
本発明は、交通安全用の手旗に関する。
【背景技術】
【０００２】
従来、登下校中の小学生等を交通事故から守ることを目的として、交通安全用の手旗が広く使用されている。この手旗は、例えば、旗竿に鮮やかな色の旗布が取り付けられており、小学生が横断歩道を渡る際に高く掲げて持つことで、小学生が横断中であることを走行中の車の運転手に知らせるものである（例えば特許文献１参照）。
【先行技術文献】
【特許文献】
【０００３】
【特許文献１】実用新案登録第３１１０６１０号公報
【考案の概要】
【考案が解決しようとする課題】
【０００４】
しかしながら、上述したような手旗は、一般的に旗竿がプラスチック等の硬い材料で作製されているため、混雑した場所等では近くの人に当たって怪我を負わせてしまう可能性があり、安全性の観点から改善の余地があった。
【０００５】
そこで、本発明は、安全性が高い交通安全用の手旗を提供することを課題とする。
【課題を解決するための手段】
【０００６】
本発明に係る交通安全用の手旗は、上記課題を解決するためになされたものであり、可撓性を有する旗竿と、前記旗竿に取り付けられた旗布と、を備えている。
【０００７】
上記手旗は、旗竿が可撓性を有しているため、旗竿が人に当たっても怪我を負わせる心配がなく、安全性が高い。
【０００８】
上記手旗において、旗竿は、多孔質材料から成る芯部材とこの芯部材を覆うカバー部材を有していてもよい。この構成によれば、芯部材が多孔質材料から成ることで、柔らかな手触りを確保することができる。
【０００９】
上記カバー部材は、水を浸透させない材料から成ることが好ましい。この構成によれば、カバー部材によって芯部材が雨や雪等で濡れるのを防止することができる。
【００１０】
上記手旗において、旗竿の先端部には、玩具安全基準で規定される小部品シリンダを通過しない大きさのキャップが装着されていてもよい。なお、玩具安全基準で規定される小部品シリンダは、直径が３１．８ｍｍの有底円筒形状であって、底面が水平面に対して４５度傾いており、底面から上端までの鉛直方向の長さは、最大値が５７．２ｍｍ、最小値が２５．４ｍｍとなるよう形成されている。
【００１１】
また、上記手旗において、カバー部材を上端が開口した袋状に形成し、この開口した上端を上記キャップによって覆っていてもよい。
【００１２】
また、上記手旗は、旗布を旗竿に巻きつけた状態で固定するための固定部材をさらに備えていてもよい。この構成によれば、手旗をコンパクトにすることができ、携帯するのに便利である。
【００１３】
また、上記手旗は、旗竿又は旗布に取り付けられ、環状部を有する引掛部材をさらに備えていてもよい。この構成によれば、引掛部材の環状部をランドセル等に引っ掛けて手旗を携帯することができる。
【００１４】
上記引掛部材の環状部は、少なくとも一部において開閉可能であることが好ましい。この構成によれば、例えば、手旗が何かに引っかかった場合、環状部の一部が開くことで手旗がランドセル等から外れるため、子供が手旗とともに引っ張られるのを防止することができる。
【００１５】
上記手旗において、旗竿又は旗布に光に反射する反射部材が取り付けられていてもよい。この構成によれば、反射部材が自動車や自転車等のライトに反射するため、夜であっても子供の位置を走行中の車の運転手に知らせることができ、より安全性が高い。
【考案の効果】
【００１６】
本発明によれば、安全性を向上させることができる。
【図面の簡単な説明】
【００１７】
【図１】本発明に係る手旗の一実施形態を示す正面図である。
【図２】上記実施形態に係る手旗の正面部分断面図である。
【図３】上記実施形態に係る手旗の背面図である。
【図４】上記実施形態に係る手旗において旗竿に旗布を巻きつけた状態を示す正面図である。
【考案を実施するための形態】
【００１８】
以下、本発明に係る手旗の一実施形態について図面を参照しつつ説明する。
【００１９】
本実施形態に係る手旗１は、図１に示すように、旗竿２及び旗布３を備えている。
【００２０】
旗竿２は、図２に示すように、棒状に形成された芯部材２１、及びこの芯部材２１を覆うカバー部材２２から構成されている。芯部材２１の材料としては、可撓性及び復元性を有するとともに、柔らかな手触りが得られる多孔質性のものが好ましく、例えば、発砲ポリエチレン、コットン等が挙げられる。カバー部材２２は、一枚の布状であり、側辺部２２１同士が一致するよう半分に折りたたまれ、この側辺部２２１及び下辺部２２２を縫合することで、上端が開口した袋状となっている。カバー部材２２の材料としては、水を浸透させないオレフィンや、ＰＶＣ、合成皮革等が好ましく、その中でも、旗布３にプリントが施してある場合でも色移りすることがなく且つ汚れにも強いオレフィンが最も好ましい。
【００２１】
図１に示すように、旗竿２の上端部にはキャップ４が装着されており、このキャップ４は接着剤で旗竿２に固定されている。キャップ４は、子供が誤って飲み込まないよう、玩具安全基準（ＳＴ基準）に規定される大きさ（直径３１．８ｍｍ以上）であることが好ましく、本実施形態においては直径約３３ｍｍである。このキャップ４はキャラクター等の形状に形成されていてもよい。キャップ４の材料としては、可撓性を有する熱可塑性エラストマー(ＴＰＥ)、ＰＶＣ、発泡ポリエチレン等が好ましく、子供が誤って舐めても有害性が低い熱可塑性エラストマー（ＴＰＥ）や発泡ポリエチレンがより好ましい。
【００２２】
図１に示すように、旗竿２の下端部には、子供が手旗１をランドセル等に引っ掛けて持ち歩くことができるよう、引掛部材５が取り付けられている。引掛部材５は、上端部がカバー部材２２の下辺部２２２に縫い込まれており、この上端部の正面側には第１の面ファスナー５１が取り付けられている。また、引掛部材５の下端部の正面側には第２の面ファスナー５２が取り付けられている。この下端部の第２の面ファスナー５２を上端部の第１の面ファスナー５１に接着させることによって、引掛部材５はループ状となる（環状部）。なお、第１及び第２の面ファスナー５１、５２は、どちらか一方がループ面を有しており、他方がフック面を有している。
【００２３】
旗布３は、図１に示すように、右側端部がカバー部材２２の側辺部２２１に縫い込まれることで、旗竿２に固定されている。旗布３は、例えば転写プリント等により、キャラクター等のプリントが施されていてもよい。旗布３の材料としては、レーザー裁断できるものが好ましく、例えば、ポリエステル等が挙げられる。
【００２４】
図１に示すように、旗布３の左端部には、自動車や自転車等のライトに反射する反射部材６が取り付けられている。
【００２５】
また、旗布３の左端部には、旗布３を旗竿２に巻きつけて固定するための固定部材７が取り付けられている。この固定部材７は、右側端部の正面側に第３の面ファスナー７１が取り付けられており（図１）、左側端部の背面側には第４の面ファスナー７２が取り付けられている（図３）。この第３及び第４の面ファスナー７１、７２は、どちらか一方がループ面を有しており、他方がフック面を有している。このような構成により、旗布３を旗竿２に巻きつけた状態で、第４の面ファスナー７２を第３の面ファスナー７１に接着させ、旗布３を旗竿２に固定することができる（図４）。
【００２６】
以上のように、本実施形態に係る交通安全用の手旗１は、旗布２が可撓性を有していることにより、旗竿２が人に当たっても怪我を負わせることがなく、旗竿２が破損して破片が飛び散ることもないため、安全である。また、本実施形態に係る手旗１は、引掛部材５の端部同士が第１及び第２の面ファスナー５１、５２によって接着されていることで、何かに引っかかった場合でもランドセル等からすぐに外れるため、子供を引っ張るのを防止することができる。さらに、本実施形態に係る手旗１は、固定部材７によって旗布３を旗竿２に固定することでコンパクトになり、携帯するのに便利である。
【００２７】
以上、本発明の実施形態について説明したが、本発明はこれらに限定されるものではなく、本発明の趣旨を逸脱しない限りにおいて種々の変更が可能である。例えば、上記実施形態において、旗竿２は芯部材２１とカバー部材２２とから構成されていたが、旗竿が可撓性を有していればこれに限定されず、例えば、旗竿が単一の部材であってもよい。
【００２８】
また、上記実施形態において、カバー部材２２は上端が開口した袋状に形成されていたがこれに限定されず、例えば、芯部材を完全に覆っていてもよい。この場合、キャップを省略することができる。
【００２９】
また、上記実施形態において、引掛部材５は旗竿２に取り付けられていたが、手旗をランドセル等に引っ掛けることができればこれに限定されず、例えば、引掛部材を旗布に取り付けてもよい。
【００３０】
また、上記実施形態において、引掛部材５は端部同士を接着させることで環状部を形成していたが、手旗をランドセル等に引っ掛けることができればこれに限定されず、例えば、引掛部材の端部と中間部や中間部同士を接着させることで環状部を形成してもよい。
【００３１】
また、上記実施形態において、引掛部材５は第１及び第２の面ファスナー５１、５２によって環状部を形成していたがこれに限定されず、例えば、ボタンやフック等の種々の留め具、縫合、接着剤等によって環状部を形成してもよい。
【００３２】
また、上記実施形態において、固定部材７には第３及び第４の面ファスナー７１、７２を用いていたが、旗布を旗竿に固定することができればこれに限定されず、例えば、ボタンやフック等種々の留め具を用いてもよい。
【００３３】
また、上記実施形態において、反射部材６は旗布３の端部に取り付けられていたが、走行中の車の運転手から見える箇所に取り付けられていればこれに限定されず、例えば、旗布の中央部や旗竿に取り付けてもよい。
【符号の説明】
【００３４】
１     手旗
２     旗竿
２１   芯部材
２２   カバー部材
３     旗布
４     キャップ
５     引掛部材
６     反射部材
７     固定部材
【図１】
0003160750.tif 000003
【図２】
0003160750.tif 000004
【図３】
0003160750.tif 000005
【図４】
0003160750.tif 000006
【手続補正書】
【提出日】平成22年4月26日(2010.4.26)
【手続補正１】
【補正対象書類名】実用新案登録請求の範囲
【補正対象項目名】全文
【補正方法】変更
【補正の内容】
【実用新案登録請求の範囲】
【請求項１】
可撓性を有する旗竿と、
前記旗竿に取り付けられた旗布と、
を備える交通安全用の手旗。
【請求項２】
前記旗竿は、
多孔質材料から成る芯部材と、
前記芯部材を覆うカバー部材と、
を有する、請求項１に記載の手旗。
【請求項３】
前記カバー部材は、水を浸透させない材料から成る、請求項２に記載の手旗。
【請求項４】
前記旗竿の先端部に装着されており、玩具安全基準で規定される小部品シリンダを通過しない大きさのキャップをさらに備える、請求項１〜３のいずれかに記載の手旗。
【請求項５】
前記旗竿の先端部に装着されており、玩具安全基準で規定される小部品シリンダを通過しない大きさのキャップをさらに備え、
前記カバー部材は、上端が開口した袋状に形成されており、
前記キャップは、前記カバー部材の開口した上端を覆っている、請求項２又は３に記載の手旗。
【請求項６】
前記旗布に取り付けられており、前記旗布を前記旗竿に巻きつけた状態で固定するための固定部材をさらに備える、請求項１〜５のいずれかに記載の手旗。
【請求項７】
前記旗竿又は前記旗布に取り付けられており、環状部を有する引掛部材をさらに備える、請求項１〜６のいずれかに記載の手旗。
【請求項８】
前記環状部は、少なくとも一部において開閉可能である、請求項７に記載の手旗。
【請求項９】
前記旗竿又は前記旗布に取り付けられており、光に反射する反射部材をさらに備える、請求項１〜８のいずれかに記載の手旗。